(57)【要約】【課題】座って複数人で簡単な調理をしながら和気藹々と団欒することのできる調理機能付きベンチを提供する。【解決手段】座りやすい高さ位置に水平に配置される水平板部２と、この水平板部２を支える支柱部３ａ，３ｂ，３ｃ，３ｄとを備え、水平板部２には、シンク４或いは加熱調理機器５などが設けられ、上面には、これらを隠蔽できる開閉可能な蓋８ａ，８ｂ，８ｃ，８ｄが備えられている。【選択図】図１
2009268702.tif 000002
【特許請求の範囲】
【請求項１】
座りやすい高さ位置に水平に配置される水平板部と、該水平板部を支える支柱部とを備え、前記水平板部には、シンク及び／又は加熱調理機器が設けられていることを特徴とする調理機能付きベンチ。
【請求項２】
前記シンク及び／又は加熱調理機器を隠蔽する蓋を備えた請求項１に記載の調理機能付きベンチ。
【発明の詳細な説明】
【技術分野】
【０００１】
本発明は、座ってお喋りしながら調理できる室内用の調理機能付きベンチに関するものである。
【背景技術】
【０００２】
従来、特許文献１に開示されているように、平常時はベンチとして公園や学校等の屋外の避難場所などに設置され、災害時などの不測の事態が生じた時には、調理場として機能する座面部を備えるとともに、非常食，調理器具，浄水器，燃料，食器等を備蓄できる貯蓄部を備えたベンチ式調理場が存在する。
【特許文献１】特開２００３−２３５６７９号公報
【発明の開示】
【発明が解決しようとする課題】
【０００３】
上記特許文献１に開示されているベンチ式調理場は、災害時等の不測の事態を想定して、公園や学校などの屋外の避難場所などに設置されるものであり、室内に設置されるものではなかった。
【課題を解決するための手段】
【０００４】
本発明は、室内で座ってお喋りしながら調理ができ、和気藹々と団欒することのできる調理機能付きベンチを提供することを目的の１つとし、この目的の少なくとも一部を達成するために以下の手段を採った。
本発明の調理機能付きベンチは、座りやすい高さ位置に水平に配置される水平板部と、該水平板部を支える支柱部とを備え、前記水平板部には、シンク及び／又は加熱調理機器が設けられていることを要旨とする。
【発明の効果】
【０００５】
本発明の調理機能付きベンチでは、水平板部がベンチと調理台を兼用し、水平板部上に座り、簡単な調理をしながら、和気藹々と団欒することができ、調理機能付きベンチの周辺に溜まり場のような空間を形成することができる効果がある。
【０００６】
また、本発明の調理機能付きベンチにおいて、前記シンク及び／又は加熱調理機器を隠蔽する蓋を備えた構成とすることもできる。
こうすれば、調理機能を使わない時は蓋をし、シンク及び／又は加熱調理機器を蓋で隠蔽させて、水平板部全体をベンチとして使うことができ、ベンチとして使える領域が増えて、複数人の人が座り、和気藹々と団欒することができる。
【発明を実施するための最良の形態】
【０００７】
次に、本発明を実施するための最良の形態を実施例を用いて説明する。
図１は、調理機能付きベンチの蓋を開けた状態の斜視構成図であり、図２は、蓋をした状態の斜視構成図である。また、図３は、蓋を開けた状態の平面構成図であり、図４は、蓋をした状態の正面構成図である。また、図５は、蓋をした状態の平面構成図である。
【０００８】
図において、調理機能付きベンチ１は、横長板状の水平板部２の底面から、下方へ垂下状に４本の支柱部３ａ，３ｂ，３ｃ，３ｄが垂設されており、この支柱部３ａ，３ｂ，３ｃ，３ｄを室内の床面上に置くと、水平板部２が床面から略３０〜４０ｃｍ上方の座りやすい高さ位置に水平に配置されるように構成されている。
【０００９】
この水平板部２は、腰を掛けて座ることのできるベンチと調理台を兼用したものであり、水平板部２には、水を溜めることのできるシンク４が凹み状に設けられており、また、電気式コンロ等の加熱調理機器５が設けられている。
また、水平板部２には、調理器具や食器，グラス等を収納できる収納庫６ａ，６ｂが下方側に向かって深い凹み状に形成されている。また、内部に野菜や果物を収納できる冷蔵庫７ａおよび飲物等を収納できる冷蔵庫７ｂが下方側へ深く形成されており、この冷蔵庫７ａ，７ｂは、上面の蓋を開閉させて内部から野菜あるいは果物あるいは飲物を取り出すことができるものである。
【００１０】
前記シンク４は、支柱部３ｄの上端側に凹ませて形成されており、冷蔵庫７ａ，７ｂは支柱部３ｃ内に凹み状に形成されたものである。また、収納庫６ａは支柱部３ａ内に凹み状に形成されており、収納庫６ｂは支柱部３ｂ内に凹み状に形成されている。
なお、支柱部３ａ，３ｂ，３ｃ，３ｄの何れか或いは複数の支柱部内には、給・排水用の配管や電気の配管が隠蔽状に配設されている。
【００１１】
また、水平板部２の上面には、横方向へスライドさせて開閉できる４枚の蓋８ａ，８ｂ，８ｃ，８ｄが設けられており、この４枚の蓋８ａ，８ｂ，８ｃ，８ｄを閉じた図２の状態では、シンク４，加熱調理機器５，収納庫６ａ，６ｂ，冷蔵庫７ａ，７ｂが全て隠蔽され、蓋８ａ，８ｂ，８ｃ，８ｄ上にも人が腰掛けて座ることができ、図２の状態では水平板部２と蓋８ａ，８ｂ，８ｃ，８ｄによる広い面積のベンチとして複数人が座ることができるものである。
【００１２】
このような調理機能付きベンチ１は、例えば図６に示すように、部屋Ｒの入口ドアＲａと、ベッド，箪笥などが配置された奥側のプライベート空間域Ｒｂとの間の中間位置等に設置しておくことができ、友人等が部屋Ｒ内に尋ねて来た時等に、この調理機能付きベンチ１に座り、寛ぐことができ、また、必要に応じて何れかの蓋８ａ，８ｂ，８ｃ，８ｄを開けることにより、座りながらでも簡単な調理を行うことができるものとなる。
例えば、蓋８ａのみを開ければシンク４が露出することとなり、蓋８ｂのみを開ければ収納庫６ｂ内の物を取り出すことができるものであり、蓋８ｃのみを開ければ冷蔵庫７ａ，７ｂから果物や飲物を取り出すことができるものである。また、蓋８ｄを開けることで収納庫６ａ内のグラスや食器等を取り出すことができるものとなる。
【００１３】
調理を行う場合には、図１のように、４枚の蓋８ａ，８ｂ，８ｃ，８ｄを全部開けて加熱調理機器５で加熱調理を行うことができ、シンク４内で野菜や果物を良好に洗うことができるものとなる。
また、調理は行わずに和気藹々と団欒するような場合は、蓋８ｃ或いは８ｄのみを開けて果物と飲物を取り出し、その後に蓋８ｃ，８ｄを閉めて、蓋８ａ，８ｂ，８ｃ，８ｄ上に果物や飲物を置いて、水平板部２上に腰掛け、果物や飲物による簡単なパーティを行うことができ、この調理機能付きベンチ１の周辺に溜まり場のような空間を作ることができる。
【００１４】
なお、シンク４や加熱調理機器５などの配置位置は本例のものに限定されるものではなく、適宜変更しても良く、また、支柱部は４本に限らず３本であっても、また大きな１本の支柱部で構成することもできるものである。また、蓋８ａ，８ｂ，８ｃ，８ｄの数も適宜変更が可能である。
【図面の簡単な説明】
【００１５】
【図１】調理機能付きベンチの蓋を開けた状態の斜視構成図である。
【図２】蓋を閉じた状態の調理機能付きベンチの斜視構成図である。
【図３】蓋を開けた状態の調理機能付きベンチの平面構成図である。
【図４】蓋を閉じた状態の調理機能付きベンチの正面構成図である。
【図５】蓋を閉じた状態の調理機能付きベンチの平面構成図である。
【図６】調理機能付きベンチを部屋の中央部等に設置した使用状態の概略構成図である。
【符号の説明】
【００１６】
１  調理機能付きベンチ
２  水平板部
３ａ，３ｂ，３ｃ，３ｄ  支柱部
４  シンク
５  加熱調理機器
６ａ，６ｂ  収納庫
７ａ，７ｂ  冷蔵庫
８ａ，８ｂ，８ｃ，８ｄ  蓋
【図１】
2009268702.tif 000003
【図２】
2009268702.tif 000004
【図３】
2009268702.tif 000005
【図４】
2009268702.tif 000006
【図５】
2009268702.tif 000007
【図６】
2009268702.tif 000008